(57)【要約】【課題】  印刷物堅牢性（主に耐光性）、耐ブロンズ性に優れたインク組成物、それを用いたインクジェット記録方法及び該記録方法によって記録された記録物を提供すること。【解決手段】  少なくとも、水とＣ．Ｉ．ダイレクトイエロー９８とカルボキシル基を有する芳香族化合物及び／又はその塩を含んでなることを特徴とするインク組成物、それを用いたインクジェット記録方法及び該記録方法によって記録された記録物。【選択図】  なし【特許請求の範囲】
【請求項１】
少なくとも、水とＣ．Ｉ．ダイレクトイエロー９８とカルボキシル基を有する芳香族化合物及び／又はその塩を含んでなることを特徴とするインク組成物。
【請求項２】
前記カルボキシル基を有する芳香族化合物及び／又はその塩が、カルボキシル基を１つ有する芳香族化合物及び／又はその塩である、請求項１に記載のインク組成物。
【請求項３】
前記カルボキシル基を有する芳香族化合物及び／又はその塩が、ナフタレン骨格を持つ化合物及び／又はその塩である、請求項１又は２に記載のインク組成物。
【請求項４】
前記ナフタレン骨格を持つ化合物及び／又はその塩が、ナフタレン骨格にカルボキシル基と、−ＯＲ基（Ｒ：Ｃ１〜Ｃ６のアルキル基）とを有する化合物及び／又はその塩である、請求項３に記載のインク組成物。
【請求項５】
前記ナフタレン骨格を持つ化合物及び／又はその塩が、ナフタレン骨格にカルボキシル基を一つと、−ＯＲ基（Ｒ：Ｃ１〜Ｃ６のアルキル基）を一つとを有する化合物及び／又はその塩である、請求項４に記載のインク組成物。
【請求項６】
前記ナフタレン骨格を持つ化合物及び／又はその塩が、２位にカルボキシル基を有する化合物及び／又はその塩である、請求項３〜５のいずれか一項に記載のインク組成物。
【請求項７】
前記２位にカルボキシル基を有し、ナフタレン骨格を持つ化合物及び／又はその塩が、１−ヒドロキシ−２−ナフトエ酸、２−ナフトエ酸、３−ヒドロキシ−２−ナフトエ酸、６−ヒドロキシ−２−ナフトエ酸、３−メトキシ−２−ナフトエ酸、６−メトキシ−２−ナフトエ酸、６−エトキシ−２−ナフトエ酸、６−プロポキシ−２−ナフトエ酸及びそれらの塩の少なくとも一種である、請求項６に記載のインク組成物。
【請求項８】
前記カルボキシル基を有する芳香族化合物及び／又はその塩をインク組成物全量に対して０．１〜１０重量％含んでなる、請求項１〜７のいずれか一項に記載のインク組成物。
【請求項９】
前記Ｃ．Ｉ．ダイレクトイエロー９８と、前記カルボキシル基を有する芳香族化合物及び／又はその塩の含有比率が、１：０．５〜１：１０の範囲である、請求項１〜８のいずれか一項に記載のインク組成物。
【請求項１０】
更に、ノニオン系界面活性剤を含んでなる、請求項１〜９のいずれか一項に記載のインク組成物。
【請求項１１】
前記ノニオン系界面活性剤が、アセチレングリコール系界面活性剤である、請求項１０に記載のインク組成物。
【請求項１２】
前記ノニオン系界面活性剤をインク組成物全量に対して０．１〜５重量％含んでなる、請求項１０又は１１に記載のインク組成物。
【請求項１３】
更に、浸透促進剤を含んでなる、請求項１〜１２のいずれか一項に記載のインク組成物。
【請求項１４】
前記浸透促進剤が、グリコールエーテルである、請求項１３に記載のインク組成物。
【請求項１５】
２０℃におけるインク組成物のｐＨが、８．０〜１０．５である、請求項１〜１４のいずれか一項に記載のインク組成物。
【請求項１６】
インクジェット記録方法において用いられる、請求項１〜１５のいずれか一項に記載のインク組成物。
【請求項１７】
前記インクジェット記録方法が、電歪素子の機械的変形によりインク滴を形成するインクジェットヘッドを用いた記録方法である、請求項１６に記載のインク組成物。
【請求項１８】
インク組成物の液滴を吐出し、該液滴を記録媒体に付着させて記録を行うインクジェット記録方法であって、インク組成物として請求項１〜１５のいずれか一項に記載のインク組成物を使用することを特徴とするインクジェット記録方法。
【請求項１９】
請求項１〜１７のいずれか一項に記載のインク組成物を用いて記録された、又は請求項１８に記載の記録方法により記録されたことを特徴とする記録物。
【発明の詳細な説明】
【技術分野】
【０００１】
本発明は、インクジェット記録に好適なインク組成物、特に、印刷物堅牢性（主に耐光性）、耐ブロンズ性に優れたインク組成物、それを用いたインクジェット記録方法及び該記録方法によって記録された記録物に関する。
【背景技術】
【０００２】
インクジェット記録は、微細なノズルからインク組成物を小滴として吐出し、文字や画像（以下、単に「画像」ということもある。）を記録媒体表面に記録する方法である。インクジェット記録方式としては、電歪素子を用いて電気信号を機械信号に変換して、ノズルヘッド部分に貯えたインク組成物を断続的に吐出して記録媒体表面に文字や画像を記録する方法、ノズルヘッド部分に貯えたインク組成物を吐出部分に極近い一部を急速に加熱して泡を発生させて、その泡による体積膨張で断続的に吐出して、記録媒体表面に文字や画像を記録する方法等が実用化されている。
【０００３】
また、インクジェット記録用のインク組成物としては、安全性や印字特性の面から各種染料を水または有機溶剤、あるいはそれらの混合液に溶解させたものが一般的であるが、様々な特性において、万年筆やボールペンの様な筆記具用インク組成物に比較し、より厳密な条件が要求される。
【０００４】
特に、近年になって、広告用の印刷物の作成にインクジェットプリンタが採用されるようになって来ていることもあって、複数のインク組成物を使用してカラー画像を形成する際には一段と厳しい要求がなされるようになってきている。
なぜなら、複数のインク組成物によって形成されたカラー画像にあっては、一色でも色相の劣るものが存在すると、その色相のために画像全体としての色バランスが劣り、品質の高い画像が得られがたいことになるからである。
一般に金属錯体染料は光堅牢性に優れており、上記用途への使用は有望視されるところであるが、他方でベタ印刷（１００％Ｄｕｔｙの塗りつぶし印刷）など高Ｄｕｔｙで印刷を行った部分に金属光沢を発生する現象（以下、「ブロンズ現象」という）が起こりやすい。このような場合、画像全体としての色バランスが不均一となって画像品質を低下させるため、その改善が望まれている。
また、近年では写真調に近い風合いを持つ記録媒体として光沢紙が多く採用されるようになっているが、特定の色がブロンズ現象を起こすことにより印刷物表面での光沢感にバラツキが生じ、画像の風合いを著しく損ねてしまうことから、画像全体の光沢感を保つ観点からも、その改善が強く望まれるところである。
【０００５】
また、上記のようなインク組成物を用いて作成された印刷物が、室内は勿論のこと室外にも設置されることがあるため、太陽光を初めとして種々の光に晒されることとなり、耐光性に優れたインク組成物の開発がなされているが、特に、染料自体の面から耐光性の改善を図ったイエローインク組成物においてブロンズ現象が目立ちその改善が望まれている。
【０００６】
また、インクジェット記録用インク組成物において、水に対する溶解性の乏しい染料を用いた場合などにおいて、酸性度の強い記録媒体に印刷を行うと、いわゆるブロンズ現象が起こることが知られている。
この対策としてｐＨ維持剤としてアルコールアミン類を添加することや、紙中への浸透力を上げることが一般的に行われている。基本的にブロンズ現象は紙表面でインク組成物が乾燥することによる、染料の結晶化が原因とされ、上記方法はこの溶解性を上げることにより結晶化を防ぐ、もしくは結晶化する前に紙中に浸透させるという観点から、有効である。しかしながら、前者は添加によりｐＨが容易に１１付近に上昇してしまい、プリンタのノズルの腐食を引き起こすことや、さらには人体への影響が懸念され、後者は浸透性が過剰に増した場合、いわゆるブリード現象等その他の印刷品質の悪化が引き起こされ、万全の解決策ではない。
これらに代わる対策として、この課題を解決する為に２−オキソ−オキサゾリドンや、１，３−ビス（βヒドロキシエチル）尿素を添加したインク組成物が提案されている（例えば、特許文献１参照）。
また、塩基性アミノ酸を添加することでこの課題の解決を図ったインク組成物が提案されている（例えば、特許文献２参照）。
しかし、残念ながら、本発明者らの種々の調査・研究の結果から、上記に記載されているような対策を用いても、印刷物堅牢性（主に耐光性）に優れたＣ．Ｉ．ダイレクトイエロー９８を用いたインク組成物においては、ブロンズ現象の解消・緩和にはなんら効果がないことが判明した。
【０００７】
【特許文献１】特開平６−２５５７５号公報
【特許文献２】特開平７−２２８８１０号公報
【発明の開示】
【発明が解決しようとする課題】
【０００８】
そこで、本発明は、上記のような事情を考慮してなされたものであって、その目的とするところは、印刷物堅牢性（主に耐光性）に優れたインク組成物を提供すること、ブロンズ現象の改善の点で一段と優れたインク組成物を提供すること、更に耐目詰り性の点でも改善されたインク組成物を提供すること、それらを用いたインクジェット記録方法及び該記録方法によって記録された記録物を提供することである。
【課題を解決するための手段】
【０００９】
本発明者らは、Ｃ．Ｉ．ダイレクトイエロー９８の耐光性、ブロンズ現象の防止策等について更なる調査・研究を続けた結果、Ｃ．Ｉ．ダイレクトイエロー９８を含有するインク組成物にカルボキシル基を有する芳香族化合物及び／又はその塩を添加したところ、印刷物の耐光性を損なうことなく、ブロンズ現象に改善が見られることを見いだし、これらの知見に基づき本発明を完成したものである。
【００１０】
１．本発明に係るインク組成物は、少なくとも、水とＣ．Ｉ．ダイレクトイエロー９８とカルボキシル基を有する芳香族化合物及び／又はその塩を含んでなることを特徴とする。
【００１１】
２．本発明に係るインク組成物は、前記１に記載のインク組成物において、前記カルボキシル基を有する芳香族化合物及び／又はその塩が、カルボキシル基を１つ有する芳香族化合物及び／又はその塩であることを特徴とする。
【００１２】
３．本発明に係るインク組成物は、前記１又は２に記載のインク組成物において、前記カルボキシル基を有する芳香族化合物及び／又はその塩が、ナフタレン骨格を持つ化合物及び／又はその塩であることを特徴とする。
【００１３】
４．本発明に係るインク組成物は、前記３に記載のインク組成物において、前記ナフタレン骨格を持つ化合物及び／又はその塩が、ナフタレン骨格にカルボキシル基と、−ＯＲ基（Ｒ：Ｃ１〜Ｃ６のアルキル基）とを有する化合物及び／又はその塩であることを特徴とする。
【００１４】
５．本発明に係るインク組成物は、前記４に記載のインク組成物において、前記ナフタレン骨格を持つ化合及び／又はその塩が、ナフタレン骨格にカルボキシル基を一つと、−ＯＲ基（Ｒ：Ｃ１〜Ｃ６のアルキル基）を一つとを有する化合物及び／又はその塩であることを特徴とする。
【００１５】
６．本発明に係るインク組成物は、前記３〜５のいずれかに記載のインク組成物において、前記ナフタレン骨格を持つ化合物及び／又はその塩が、２位にカルボキシル基を有する化合物及び／又はその塩であることを特徴とする。
【００１６】
７．本発明に係るインク組成物は、前記６に記載のインク組成物において、前記２位にカルボキシル基を有し、ナフタレン骨格を持つ化合物及び／又はその塩が、１−ヒドロキシ−２−ナフトエ酸、２−ナフトエ酸、３−ヒドロキシ−２−ナフトエ酸、６−ヒドロキシ−２−ナフトエ酸、３−メトキシ−２−ナフトエ酸、６−メトキシ−２−ナフトエ酸、６−エトキシ−２−ナフトエ酸、６−プロポキシ−２−ナフトエ酸及びそれらの塩の少なくとも一種であることを特徴とする。  
【００１７】
８．本発明に係るインク組成物は、前記１〜７のいずれかに記載のインク組成物において、前記カルボキシル基を有する芳香族化合物及び／又はその塩をインク組成物全量に対して０．１〜１０重量％含んでなることを特徴とする。
【００１８】
９．本発明に係るインク組成物は、前記１〜８のいずれかに記載のインク組成物において、前記Ｃ．Ｉ．ダイレクトイエロー９８と、前記カルボキシル基を有する芳香族化合物及び／又はその塩の含有比率が、１：０．５〜１：１０の範囲であることを特徴とする。
【００１９】
１０．本発明に係るインク組成物は、前記１〜９のいずれかに記載のインク組成物において、更に、ノニオン系界面活性剤を含んでなることを特徴とする。
【００２０】
１１．本発明に係るインク組成物は、前記１０に記載のノニオン系界面活性剤が、アセチレングリコール系界面活性剤であることを特徴とする。
【００２１】
１２．本発明に係るインク組成物は、前記１０又は１１に記載のインク組成物において、ノニオン系界面活性剤をインク組成物全量に対して０．１〜５重量％含んでなることを特徴とする。
【００２２】
１３．本発明に係るインク組成物は、前記１〜１２のいずれかに記載のインク組成物において、更に、浸透促進剤を含んでなることを特徴とする。
【００２３】
１４．本発明に係るインク組成物は、前記１３に記載の浸透促進剤が、グリコールエーテルであることを特徴とする。
【００２４】
１５．本発明に係るインク組成物は、前記１〜１４のいずれかに記載のインク組成物において、２０℃におけるインク組成物のｐＨが、８．０〜１０．５であることを特徴とする。
【００２５】
１６．本発明に係るインク組成物は、インクジェット記録方法において用いられる前記１〜１５のいずれかに記載のインク組成物であることを特徴とする。
【００２６】
１７．本発明に係るインク組成物は、前記１６に記載のインクジェット記録方法が、電歪素子の機械的変形によりインク滴を形成するインクジェットヘッドを用いた記録方法であることを特徴とする。
【００２７】
１８．本発明に係るインクジェット記録方法は、インク組成物の液滴を吐出し、該液滴を記録媒体に付着させて記録を行うインクジェット記録方法であって、インク組成物として前記１〜１５のいずれかに記載のインク組成物を使用することを特徴とする。
【００２８】
１９．本発明に係る記録物は、前記１〜１７のいずれかに記載のインク組成物を用いて記録された、又は前記１８に記載の記録方法により記録されたことを特徴とする。
【発明の効果】
【００２９】
本発明は、少なくともＣ．Ｉ．ダイレクトイエロー９８を含むインク組成物にカルボキシル基を有する芳香族化合物及び／又はその塩を含有させることにより、該インク組成物を用いて記録したものは、印刷物堅牢性（主に耐光性）に優れ、ブロンズ現象の生じない画像が得られるという優れた効果を奏する。
【発明を実施するための最良の形態】
【００３０】
本発明のインク組成物は、水又は、水と水溶性有機溶剤からなる水性媒体中に、少なくともＣ．Ｉ．ダイレクトイエロー９８とカルボキシル基を有する芳香族化合物及び／又はその塩を含有し、必要に応じ、保湿剤、粘度調整剤、ｐＨ調整剤やその他の添加剤を含んでなることができる。
【００３１】
本発明におけるインク組成物に含まれる染料種としては少なくともＣ．Ｉ．ダイレクトイエロー９８が含まれていればよく、必要に応じこれに加え、イエロー色を示すことができる着色剤であれば特に限定はなく、単独あるいは２種以上包含せしめることが可能である。
【００３２】
一般に、金属錯体染料を含有したインク組成物を用いてインクジェット専用記録媒体（特に光沢系記録媒体）等にベタ印刷した場合に、ブロンズ現象が見られることがある。金属錯体染料は一般に紙上での凝集力が強く、その結果高い印刷物堅牢性（特に耐光性）を示すと同時に、同様の理由で、ブロンズ現象が強くなる傾向がある。
本発明におけるＣ．Ｉ．ダイレクトイエロー９８を少なくとも含むインク組成物に対して、ブロンズ現象がなく、高画質なインクジェット記録物を得るためには、下記のカルボキシル基を有する芳香族化合物を含有せしめることにより達成することができる。
【００３３】
Ｃ．Ｉ．ダイレクトイエロー９８を含む染料の含有量は、使用される他の染料の種類、溶媒成分の種類等により決められるが、インク組成物全重量に対し、０．１〜１０重量％、好ましくは、０．５〜５重量％の範囲である。０．１重量％以上とすることで、記録媒体上での発色性又は画像濃度を確保でき、１０重量％以下とすることで、インク組成物の粘度調整が容易となり吐出信頼性や目詰まり性等の特性が容易に確保できる。
【００３４】
本発明のインク組成物は、上記のような、Ｃ．Ｉ．ダイレクトイエロー９８を含有したインク組成物を用いてベタ印刷した場合に見られるブロンズ現象を弱めるか、もしくは無くするとともに印刷物堅牢性も改善するために、カルボキシル基を有する芳香族化合物又はその塩を少なくとも１種含有する。カルボキシル基を有する芳香族化合物として、−ＯＲ基（Ｒ：Ｃ１〜Ｃ６のアルキル基）を有するものを含有する場合には、ブロンズ現象の改善効果が著しく優れるとともに、耐窒素酸化物性においても著しく良好な結果を示す。
即ち、本発明においては、水とＣ．Ｉ．ダイレクトイエロー９８とカルボキシル基を有する芳香族化合物又はその塩を少なくとも１種含有するインク組成物であれば、イエローインク組成物は勿論のこと、例えば、ブラックインク組成物等のイエローとは異なる色のインク組成物であっても、ベタ印刷した場合に見られるブロンズ現象を弱める、もしくは無くすることができる。これら各種のインク組成物を作製するためには、従来公知の他の染料と併用することができる。
【００３５】
本発明で使用されるカルボキシル基を有する芳香族化合物又はその塩としては、分子構造中にカルボキシル基を少なくとも１つ有する芳香族化合物又はその塩であればいかなるものでも良いが、カルボキシル基を少なくとも１つナフタレン骨格に有する化合物又はその塩が好ましく、２位にカルボキシル基を有し、ナフタレン骨格を持つ化合物又はその塩がより好ましく、さらに好ましいものとしては、２位にカルボキシル基を有し、ナフタレン骨格を持つ化合物のアルカリ金属塩が挙げられる。
また、カルボキシル基を少なくとも１つと−ＯＲ基（Ｒ：Ｃ１〜Ｃ６のアルキル基）を少なくとも１つをナフタレン骨格に有する化合物又は塩がより好ましく、その中でも２位にカルボキシル基を有し、ナフタレン骨格を持つ化合物又は塩が、耐ブロンズ性の改善の点で特に好ましいばかりでなく、耐窒素酸化物性の点でも好ましい。
カルボキシル基を有する芳香族化合物又はその塩としては、具体的には、１−ナフトエ酸、２−ナフトエ酸、２−ヒドロキシ−１−ナフトエ酸、１−ヒドロキシ−２−ナフトエ酸、３−ヒドロキシ−２−ナフトエ酸、６−ヒドロキシ−２−ナフトエ酸、４−ヒドロキシ安息香酸、２，６−ナフタレンジカルボン酸、３−メトキシ−２−ナフトエ酸、３−エトキシ−２−ナフトエ酸、３−プロポキシ−２−ナフトエ酸、６−メトキシ−２−ナフトエ酸、６−エトキシ−２−ナフトエ酸、６−プロポキシ−２−ナフトエ酸等及びそれらの塩が挙げられる。
カルボキシル基を有する芳香族化合物の塩は、塩の形で添加され、インク中に含有されることも可能であり、また、カルボキシル基を有する芳香族化合物と塩基とが別々に添加され、インク中に含有されることも可能である。
【００３６】
これらのカルボキシル基を有する芳香族化合物及び／又はその塩の含有量は、カルボキシル基を有する芳香族化合物及び／又はその塩の種類、染料の種類、溶媒成分の種類等により決められるが、インク組成物全重量に対し、０．１〜１０重量％、好ましくは、０．５〜５重量％の範囲である。
【００３７】
本発明のインク組成物においては、Ｃ．Ｉ．ダイレクトイエロー９８とカルボキシル基を有する芳香族化合物及び／又はその塩の含有比率は、１：０．５〜１：１０、より好ましくは１：１〜１：６の範囲であることが好ましい。１：０．５よりもカルボキシル基を有する芳香族化合物及び／又はその塩の比率を高くすることで、それらによるブロンズ現象の改善効果が十分に得られ、また、１：１０よりもカルボキシル基を有する芳香族化合物及び／又はその塩の比率を低くすることで、目詰まり信頼性などを容易に確保できる。
【００３８】
所定の染料およびカルボキシル基を有する芳香族化合物及び／又はその塩の量を安定して溶解させるためには、インク組成物のｐＨ（２０℃）は８．０以上であることが好ましい。また、インク組成物が接する各種部材との耐材料性を考慮すると、インク組成物のｐＨは１０．５以下であることが好ましい。これらの事項をよりよく両立させるためには、インク組成物のｐＨを８．５〜１０．０に調整することがより好ましい。
【００３９】
本発明のインク組成物は、さらに蒸気圧が純水よりも小さい水溶性有機溶剤及び／又は糖類から選ばれる保湿剤を含むことができる。
保湿剤を含むことにより、インクジェット記録方式において、水分の蒸発を抑制してインクを保湿することができる。また、水溶性有機溶剤であれば、吐出安定性を向上させたり、インク特性を変化させたりすることなく粘度を容易に変更することができる。
水溶性有機溶剤は、溶質を溶解する能力を持つ媒体を指しており、有機性で蒸気圧が水より小さい水溶性の溶媒から選ばれる。具体的には、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が望ましい。  また、糖類は、マルチトール、ソルビトール、グルコノラクトン、マルトース等が好ましい。
保湿剤は、インク組成物全量に対して５〜５０重量％、より好ましくは、５〜３０重量％、さらに好ましくは、５〜２０重量％の範囲で添加されることが好ましい。５重量％以上であれば、保湿性が得られ、また、５０重量％以下であれば、インクジェット記録に用いられる粘度に調整しやすい。
【００４０】
また、本発明のインク組成物には、溶剤として含窒素系有機溶剤を含んでなることが好ましい。含窒素系有機溶剤としては、１，３−ジメチル−２−イミダゾリジノン，２−ピロリドン，Ｎ−メチル−２−ピロリドン，ε−カプロラクタム等が挙げられ、中でも、２−ピロリドンが好適に用いられることができる。それらは、単独または２種以上併用して用いられることもできる。
その含有量は、０．５〜１０重量％が好ましく、さらに好ましくは、１〜５重量％である。その含有量を、０．５重量％以上とすることで、添加することによる本発明の色材の溶解性向上を図ることができ、１０重量％以下とすることで、インク組成物が接する各種部材との耐材料性を悪化させることがない。
【００４１】
また、本発明のインク組成物には、インクの速やかな定着（浸透性）を得ると同時に、１ドットの真円度を保つのに効果的な添加剤として、ノニオン系界面活性剤を含むことが好ましい。
【００４２】
本発明に用いられるノニオン系界面活性剤としては、例えば、アセチレングリコール系界面活性剤が挙げられる。アセチレングリコール系界面活性剤として、具体的には、サーフィノール４６５、サーフィノール１０４、オルフィンＳＴＧ（以上、日信化学工業（株）製、商品名）等が挙げられる。その添加量は０．１〜５重量％、好ましくは０．５〜２重量％である。添加量を０．１重量％以上とすることで、十分な浸透性を得ることができ、また、５重量％以下とすることで、画像のにじみの発生を防止し易い。
【００４３】
さらに、ノニオン系界面活性剤に加えて、浸透促進剤として、グリコールエーテル類を添加することにより、より浸透性が増すとともに、カラー印刷を行った場合の隣合うカラーインクとの境界のブリードが減少し、非常に鮮明な画像を得ることができる。
【００４４】
本発明に用いられるグリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が挙げられる。その添加量は３〜３０重量％、好ましくは５〜１５重量％である。添加量が３重量％未満であると、ブリード防止の効果が得られない。また、３０重量％を越えると画像ににじみが発生するばかりか、油状分離が起きるためにこれらのグリコールエーテル類の溶解助剤が必要となり、それに伴ってインクの粘度が上昇し、インクジェットヘッドでは吐出が難しくなる。  
【００４５】
さらに、本発明のインク組成物には、必要に応じて、トリエタノールアミンやアルカリ金属の水酸化物等のｐＨ調整剤、尿素およびその誘導体等のヒドロトロピー剤、アルギン酸ナトリウム等の水溶性ポリマー、水溶性樹脂、フッ素系界面活性剤、防カビ剤、防錆剤等が添加されてもよい。
【００４６】
本発明のインク組成物の調製方法としては、たとえば、各成分を十分混合溶解し、孔径０．８μｍのメンブランフィルターで加圧濾過したのち、真空ポンプを用いて脱気処理して調製する方法などがある。
【００４７】
次に、上述のインク組成物を用いた本発明の記録方法について説明する。本発明の記録方法はインク組成物を微細孔から液滴として吐出させ、該液滴を記録媒体に付着させて記録を行うインクジェット記録方式がとりわけ好適に使用できるが、一般の筆記具用、記録計、ペンプロッター等の用途にも使用できることは言うまでもない。
【００４８】
インクジェット記録方式としては、従来公知の方式はいずれも使用でき、特に圧電素子の振動を利用して液滴を吐出させる方法（電歪素子の機械的変形によりインク滴を形成するインクジェットヘッドを用いた記録方法）や熱エネルギーを利用する方法においては優れた画像記録を行うことが可能である。
【実施例】
【００４９】
次に、本発明の実施例と比較例を挙げ、本発明を具体的に説明する。
なお、本発明は、以下の実施例によって限定されるものではない。
【００５０】
［実施例１〜３及び比較例１］
実施例１〜３及び比較例１で用いたインク組成物は、表１に示す配合割合で各成分を混合して溶解させ、孔径１μｍのメンブランフィルターにて加圧濾過を行なうことによって調製した。なお、表１中に示すインク組成物の各成分はインク組成物全量に対する各成分の重量％を示し、残量は水である。
【００５１】
【表１】
2006182944.tif 000002
【００５２】
上記の実施例１〜３及び比較例１に記載のインク組成物を、インクジェットプリンタＥＭ９３０Ｃ（セイコーエプソン株式会社製）を用いて、これの専用カートリッジ（イエロー室）に充填して、インクジェット専用記録媒体（ＰＭ写真用紙、専用光沢フィルム：いずれもセイコーエプソン株式会社製）に印字し、ブロンズ評価及び耐光性の評価を行なった。得られた結果を表２に示す。
【００５３】
《ブロンズ評価》
上記のカートリッジを用い、１インチ平米当たり１．５〜２．２ｍｇの打ち込み量になるようにベタ印字し得られた印刷物を、以下の判定基準に基づき目視により判定した。
［評価基準］
評価Ａ：ブロンズ現象が全く見られない。
評価Ｂ：ややブロンズ現象が見られる。
評価Ｃ：ブロンズ現象が目立つ。
【００５４】
《耐光性の評価》
上記の実施例１〜３及び比較例１に記載のインク組成物を充填した上記のカートリッジを用い、ＯＤ（ＯｐｔｉｃａｌＤｅｎｓｉｔｙ）が、０．９〜１．１の範囲に入るように印加Ｄｕｔｙを調整して印刷を行って得られた印刷物を、Ｃｉ−５０００（アトラスエレクトリックデバイス社製）を用いて６日間曝露した。  曝露後、それぞれの印刷物のＯＤを、濃度計（Ｓｐｅｃｔｒｏｌｉｎｏ：Ｇｒｅｔａｇ社製）を用いて測定し、次式により光学濃度残存率（ＲＯＤ）を求め、下記の判定基準により、評価した。
【００５５】
ＲＯＤ（％）＝（Ｄ／Ｄ０）×１００
Ｄ：曝露試験後のＯＤ
Ｄ０：曝露試験前のＯＤ
（但し、測定条件は、Ｆｉｌｔｅｒ：Ｂｌｕｅ，光源：Ｄ５０，視野角：２度）［判定基準］
評価Ａ：ＲＯＤが８０％以上
評価Ｂ：ＲＯＤが７０％以上８０％未満
評価Ｃ：ＲＯＤが７０％未満
【００５６】
【表２】
2006182944.tif 000003
【産業上の利用可能性】
【００５７】
本発明のインク組成物は、印刷物堅牢性、耐ブロンズ性に優れており、インクジェット記録用インク組成物、それを用いた記録方法及び該記録方法によって記録された記録物を含めたインクジェット記録方式に係わる広範囲な分野において利用可能性を有するものである。